(57)【要約】【課題】貯湯タンク内に貯蔵された湯を追焚き可能で、所望の温度の湯を素早く給湯することができるヒートポンプ式蓄熱給湯機として使用することができる熱交換システムを提供する。【解決手段】ヒートポンプ式蓄熱給湯機は、圧縮機１、加熱用熱交換器２、液化用熱交換機構３、レシーバタンク４、膨張機構５および外気用熱交換器６を有する。圧縮機１の吐出口と加熱用熱交換器２の高温側の入口との間、加熱用熱交換器２の高温側の出口と液化用熱交換機構３の高温側の入口との間、液化用熱交換機構３の高温側の出口とレシーバタンク４の入口との間、レシーバタンク４の出口と膨張機構５との間、膨張機構５と液化用熱交換機構３の低温側の入口との間、液化用熱交換機構３の低温側の出口と外気用熱交換器６との間、外気用熱交換器６の出口と圧縮機１の吸入口との間をそれぞれ冷媒配管７により接続する。【選択図】図１
2012117717.tif 000002
【特許請求の範囲】
【請求項１】
圧縮機、凝縮器、液化用熱交換機構、レシーバタンク、膨張機構および蒸発器を有し、
上記圧縮機の吐出口と上記凝縮器の高温側の入口との間、上記凝縮器の高温側の出口と上記液化用熱交換機構の高温側の入口との間、上記液化用熱交換機構の高温側の出口と上記レシーバタンクの入口との間、上記レシーバタンクの出口と上記膨張機構との間、上記膨張機構と上記液化用熱交換機構の低温側の入口との間、上記液化用熱交換機構の低温側の出口と上記蒸発器の入口との間、上記蒸発器の出口と上記圧縮機の吸入口との間がそれぞれ冷媒配管により接続されていることを特徴とする熱交換システム。
【請求項２】
上記熱交換システムはヒートポンプ式蓄熱給湯機、チラーまたは空気調和機であることを特徴とする請求項１記載の熱交換システム。
【請求項３】
上記熱交換システムはヒートポンプ式蓄熱給湯機であり、上記凝縮器の低温側の入口と低温側の出口との間に水または湯を流すことにより得られる湯を貯蔵する貯湯タンクをさらに有することを特徴とする請求項２記載の熱交換システム。
【請求項４】
上記貯湯タンクの壁が、ポリフェニレンエーテル系樹脂からなる内層と、ポリアミド樹脂からなり上記内層の外方に設けられる外層と、ポリフェニレンエーテル系樹脂およびポリアミド樹脂を含むポリフェニレンエーテル系樹脂組成物からなり、上記内層と上記外層との間に位置する中間層とを有する多層構造体から構成されていることを特徴とする請求項３記載の熱交換システム。
【請求項５】
上記貯湯タンクの上記壁の厚さは７ｍｍ以上であり、上記内層、上記中間層、上記外層の厚さ比率は、内層：中間層：外層＝４：１：５〜８：１：１の範囲であることを特徴とする請求項４記載の熱交換システム。
【請求項６】
上記蒸発器は外気用熱交換器であり、上記液化用熱交換機構の低温側の出口と冷却用熱交換器の低温側の入口との間、上記冷却用熱交換器の低温側の出口と上記外気用熱交換器との間がそれぞれ冷媒配管により接続され、上記冷却用熱交換器における冷媒との熱交換により冷却された水を用いて冷房を行うことが可能な室内空気調和機をさらに有することを特徴とする請求項３記載の熱交換システム。
【請求項７】
上記冷却用熱交換器により冷却された水を貯蔵する貯冷タンクをさらに有し、上記貯冷タンクに貯蔵された上記冷却された水を上記室内空気調和機による室内の冷房に使用することを特徴とする請求項６記載の熱交換システム。
【請求項８】
上記室内空気調和機により室内の暖房を行う時、上記貯冷タンクを貯湯タンクとして使用することが可能に構成されていることを特徴とする請求項７記載の熱交換システム。
【請求項９】
上記熱交換システムはチラーであり、上記蒸発器の高温側の入口と高温側の出口との間に流体を流すことにより得られる流体を貯蔵する貯蔵タンクをさらに有することを特徴とする請求項２記載の熱交換システム。
【発明の詳細な説明】
【技術分野】
【０００１】
この発明は熱交換システムに関し、例えば、ヒートポンプ式蓄熱給湯機、チラー、空気調和機などに適用して好適なものである。
【背景技術】
【０００２】
給湯器としては、従来より、ガスを燃焼させて、その強力な燃焼熱で瞬間的に水を沸き上げて湯を供給するガス燃焼式給湯器や、大容量の貯湯タンクを備え、夜間の安価な電力を利用して電気ヒータで加熱した大量の湯を貯湯タンクに夜間のうちに貯蔵し、日中に貯湯タンクに貯蔵した湯を使う電気温水器などが一般的に用いられてきた。
【０００３】
しかしながら、ガス燃焼式給湯器は燃焼によるＣＯ2 排出の問題があり、電気温水器は電気ヒータ加熱に大量の電力を消費するためエネルギー効率が低いという問題があった。そこで、近年の省エネルギー化の要求から、ＣＯ2 を排出せず、電気ヒータ加熱よりも数倍エネルギー効率が良く省エネルギー運転が可能な、冷凍サイクルを利用したヒートポンプユニットを有するヒートポンプ式蓄熱給湯機の開発が盛んに行われており、より一層の普及が期待されている。
【０００４】
従来のヒートポンプ式蓄熱給湯機は、上記の電気温水器と同様に大容量の貯湯タンクを備え、夜間の安価な電力を使って夜中にヒートポンプで湯を焚き上げて貯湯タンクに貯蔵し、貯蔵した湯を日中に使うものが一般的である（例えば、特許文献１参照。）。
【０００５】
従来の一般的な、貯湯タンクを備えたヒートポンプ式蓄熱給湯機を図８に示す。図８に示すように、ヒートポンプ式蓄熱給湯機は、圧縮機５０１、加熱用熱交換器５０２、膨張弁５０３および外気用熱交換器５０４を有する。圧縮機５０１の吐出口と加熱用熱交換器５０２の高温側の入口との間、加熱用熱交換器５０２の高温側の出口と膨張弁５０３との間、膨張弁５０３と外気用熱交換器５０４の入口との間、外気用熱交換器５０４の出口と圧縮機５０１の吸入口との間がそれぞれ冷媒配管５０５により接続されている。冷媒配管５０５は冷媒流路である。膨張弁５０３は、外気用熱交換器５０４の出口に取り付けられた感温筒５０３ａにより、外気用熱交換器５０４を出る冷媒ガスの過熱度の変化を検知し、その検知結果に応じて弁の開閉度を制御して外気用熱交換器５０４に流入する冷媒量を調整することにより冷媒ガスの過熱度を一定に保持するようになっている。冷媒配管５０５により接続された圧縮機５０１、加熱用熱交換器５０２、膨張弁５０３および外気用熱交換器５０４によりヒートポンプユニットが構成されている。
【０００６】
加熱用熱交換器５０２には、水道水が流される配管５０６が設置されている。この加熱用熱交換器５０２において、配管５０６に流される水道水と冷媒配管５０５に流される冷媒との間で熱交換が行われる。配管５０６に流される水道水はポンプ５０７により加熱用熱交換器５０２に供給される。加熱用熱交換器５０２で加熱されて出口から出てくる湯は配管５０６を通って貯湯タンク５０８に入り、貯蔵される。配管５０６はポンプ５０７の上流で分岐しており、貯湯タンク５０８の底部に接続されている。貯湯タンク５０８に貯蔵された湯は三方弁からなる調整弁５０９を通って外部に給湯される。配管５０６は、貯湯タンク５０８への分岐部の上流でも分岐して調整弁５０９に接続されており、この分岐部がバイパス配管を構成している。
【０００７】
このヒートポンプ式蓄熱給湯機の動作について説明する。外気用熱交換器５０４から出てくる冷媒ガスは、圧縮機５０１により圧縮されて高温高圧の状態になる。この高温高圧の冷媒ガスは加熱用熱交換器５０２に供給され、ポンプ５０７により供給された比較的温度の低い水道水と熱交換が行われ、高圧の状態で冷媒の凝縮温度まで冷却されて液化する。加熱用熱交換器５０２における冷媒との熱交換により水道水が加熱されて湯となり、貯湯タンク５０８に貯蔵される。液化した冷媒は膨張弁５０３で減圧、膨張した後、外気用熱交換器５０４で熱交換が行われて蒸発し、この際に外気から熱を吸収して低温のガス状態となる。この低温の冷媒ガスは圧縮機５０１に供給され、圧縮から始まる上記のサイクルが繰り返される。
【先行技術文献】
【特許文献】
【０００８】
【特許文献１】特開平１１−１９３９５８号公報
【発明の概要】
【発明が解決しようとする課題】
【０００９】
しかしながら、上述の従来のヒートポンプ式蓄熱給湯機は、加熱用熱交換器５０２に冷媒の凝縮温度より高温の水道水が供給されると、冷媒が凝縮することができなくなることから、冷媒の圧力が急激に上昇し、危険な状態になる。このため、ヒートポンプ式蓄熱給湯機を安定して運転するためには、ヒートポンプユニットの冷媒が凝縮可能な温度の水道水を供給する必要がある。この結果、このヒートポンプ式蓄熱給湯機では、湯を追い焚きしてより高温の湯にすることは不可能であった。具体的には、例えば、７０℃の温度の湯を再度沸かして９０℃の温度の湯にするといったことは不可能であった。
【００１０】
そこで、この発明が解決しようとする課題は、例えば貯湯タンク内に貯蔵された湯を追焚き可能で、所望の温度の湯を素早く給湯することができるヒートポンプ式蓄熱給湯機に使用することができるだけでなく、外気の温度が高い場合であっても冷却が可能なチラーに使用することができ、また、外気の温度が高い場合であっても冷房が可能な空気調和機に使用することができる熱交換システムを提供することである。
【課題を解決するための手段】
【００１１】
本発明者らは、従来のヒートポンプ式蓄熱給湯機が有する上記の課題を解決すべく鋭意研究を行った。その結果、図８に示すヒートポンプ式蓄熱給湯機において、加熱用熱交換器５０２と膨張弁５０３との間に冷媒の液化用熱交換器およびこの液化用熱交換器により液化された冷媒を一定量溜めることができるレシーバタンクを順次設けるとともに、膨張弁５０３から出てくる低温の冷媒を液化用熱交換器５０４における熱交換用に用いることが有効であるという結論に至った。
【００１２】
本発明者らはさらに検討を行った結果、上記の対策はチラーや空気調和機でも有効であるという結論に至った。すなわち、図９Ａ、ＢおよびＣはそれぞれ、ヒートポンプ式蓄熱給湯機、チラーおよび空気調和機の構成を示す。図９Ａに示すように、ヒートポンプ式蓄熱給湯機における外気用熱交換器５０４は蒸発器、加熱用熱交換器５０２は凝縮器である。言い換えると、ヒートポンプ式蓄熱給湯機の基本的構成要素は、圧縮機、凝縮器、膨張弁および蒸発器であると言える。これに対して、図９Ｂに示すチラーおよび図９Ｃに示す空気調和機の基本的構成要素も圧縮機、凝縮器、膨張弁および蒸発器である。従って、ヒートポンプ式蓄熱給湯機、チラーおよび空気調和機のいずれも、圧縮機、凝縮器、膨張弁および蒸発器を基本的構成要素とする点で共通する。チラーおよび空気調和機においては、外気の温度が冷媒の凝縮温度以上であると、圧縮機から吐出された高温高圧の冷媒ガスは凝縮器で熱を完全に放出できず、全部または一部の冷媒ガスは液化されない。この凝縮器において液化されなかった冷媒ガスは冷媒圧力の異常上昇をもたらし、圧縮機や冷媒配管に大きな負荷をかけるだけでなく、危険な状態となる。従って、上記のヒートポンプ式蓄熱給湯機に対する対策は、チラーおよび空気調和機においても有効である。
【００１３】
この発明は、本発明者らの上記の検討に基づいて案出されたものである。
すなわち、この発明は、
圧縮機、凝縮器、液化用熱交換機構、レシーバタンク、膨張機構および蒸発器を有し、
上記圧縮機の吐出口と上記凝縮器の高温側の入口との間、上記凝縮器の高温側の出口と上記液化用熱交換機構の高温側の入口との間、上記液化用熱交換機構の高温側の出口と上記レシーバタンクの入口との間、上記レシーバタンクの出口と上記膨張機構との間、上記膨張機構と上記液化用熱交換機構の低温側の入口との間、上記液化用熱交換機構の低温側の出口と上記蒸発器の入口との間、上記蒸発器の出口と上記圧縮機の吸入口との間がそれぞれ冷媒配管により接続されていることを特徴とする熱交換システムである。
【００１４】
この熱交換システムにおいては、圧縮機から吐出された高温高圧の冷媒ガスは、凝縮器において熱を放出し、全部または一部が液化されて高圧の液体の冷媒となる。凝縮器で凝縮し切れなかった冷媒ガスが存在しても、この冷媒ガスは液化用熱交換機構の高温側の入口と高温側の出口との間で熱交換により冷却されて液化される。液化用熱交換機構の高温側の出口から出てくる液体の冷媒はレシーバタンク内に溜まる。レシーバタンクから出てくる液体の冷媒は、膨張機構において減圧、膨張した後、液化用熱交換機構の低温側の入口と低温側の出口との間で熱交換により加熱され、続いて蒸発器において熱を吸収することで気化し、低圧の冷媒ガスとなる。この低圧の冷媒ガスは圧縮機の吸入口から吸入され、圧縮から始まるサイクルが繰り返される。
【００１５】
圧縮機は、開放型、密閉型、半密閉型のいずれでもよく、例えば往復式圧縮機、遠心式圧縮機、回転式圧縮機などが挙げられ、特に多筒式圧縮機、ロータリー圧縮機、スクリュー圧縮機、スクロール圧縮機などが好適である。圧縮機は、冷媒ガスを圧縮する機構を有している限り、基本的にはどのようなものであってもよい。
【００１６】
凝縮器は、冷媒ガスの熱を放出して液化する機能を有する限り、基本的にはどのようなものであってもよい。凝縮器は、液冷式、空冷式のいずれでもよく、例えばプレートフィンチューブ型熱交換器、フィンコイル型熱交換器、シェルアンドチューブ型熱交換器、シェルアンドコイル型熱交換器、二重管型熱交換器、パラレルフロー型熱交換器、プレート型熱交換器などが好適である。
【００１７】
液化用熱交換機構は、凝縮器で液化されなかった冷媒ガスを低温側の液体冷媒に熱を吸収させることで熱交換して液化する機構であって、高温側の冷媒ガスと低温側の冷媒とが熱交換可能に構成されている限り、基本的にはどのようなものでもよく、例えばプレートフィンチューブ型熱交換器、フィンコイル型熱交換器、シェルアンドチューブ型熱交換器、シェルアンドコイル型熱交換器、二重管型熱交換器、パラレルフロー型熱交換器、プレート型熱交換器などが好適である。
【００１８】
液化用熱交換機構は必ずしも熱交換器である必要はなく、低温側の冷媒配管と高温側の冷媒配管のいずれか一方の配管を他方に巻き付ける構成、低温側の冷媒配管と高温側の冷媒配管とを束ねる構成、特に低温側の冷媒配管と高温側の冷媒配管とを捩る形で束ねる構成も有効である。このとき、高温側の冷媒配管と低温側の冷媒配管とは互いに平行流もしくは対向流のいずれをなす形での配置でもよいが、伝熱効率の高い対向流をなす構成が特に望ましい。また、一方の冷媒配管内に他方の冷媒配管を直接接触させて熱交換することも有効である。このとき、一方の冷媒配管と他方の冷媒配管とは互いに平行流もしくは対向流のいずれをなす形での配置でもよいが、伝熱効率の高い対向流をなす構成が特に望ましい。また、液化用熱交換機構にさらに水配管を高温側の冷媒配管と熱交換可能に追加配置する構成や、液化用熱交換機構全体を覆う形でウォータージャケットを配置して構成してもよい。
【００１９】
レシーバタンクは、液体冷媒を貯蔵する機構を有している限り、基本的にはどのようなものであってもよい。レシーバタンクは、ユニオンタイプ、ブロックジョイントタイプのいずれでもよい。膨張機構に液体冷媒を供給するため、例えば、レシーバタンクの出口にはレシーバタンク底部から冷媒を取り出せるように冷媒配管がレシーバタンク内に入り込む形で接続されるようにする。必要に応じて、レシーバタンクの内部に冷媒内のゴミや水分を取り除くストレーナや乾燥剤を封入してもよい。
【００２０】
膨張機構は、典型的には膨張弁であって、例えば、手動膨張弁、低圧膨張弁、温度自動膨張弁、低圧側フロート弁、高圧側フロート弁、電子膨張弁などが好適である。膨張弁は、蒸発器へ輸送される液体冷媒を減圧し膨張させるとともに、負荷に応じて流量を調整する構成を有している限り、基本的にはどのようなものでもよく、蒸発器の種類に応じて適宜選択される。膨張機構としては、キャピラリチューブを用いてもよい。
【００２１】
蒸発器は、冷媒が熱を吸収して気化する機構を有している限り、基本的にはどのようなものであってもよい。蒸発器は、乾式、満液式のいずれでもよく、例えばプレートフィンチューブ型熱交換器、フィンコイル型熱交換器、シェルアンドチューブ型熱交換器などが好適である。
【００２２】
冷媒は、典型的には炭酸ガス冷媒（Ｒ７７４）、アンモニア冷媒（Ｒ７１７）、プロパン冷媒、イソブタン冷媒、エチレン冷媒、ハロゲン化メタン冷媒（Ｒ１３、Ｒ１３Ｂ１、Ｒ１４、Ｒ２１、Ｒ２２、Ｒ２３など）、フルオロカーボン冷媒（Ｒ１２３、Ｒ１３４ａ、Ｒ４０７Ｃ、Ｒ４１０Ａ、Ｒ４０７Ａなど）などが挙げられるが、これらには限定されず、物質的に安定であって蒸発しやすく蒸発時の潜熱が大きい性質を持っている物質であればどのようなものであってもよく、特に蒸発時の圧力が大気圧以下ではなく真空領域でない物質であることが望ましい。また、二つ以上の冷媒を混合した混合冷媒を使用することもできる。
【００２３】
冷媒配管は、使用する冷媒に対して耐腐食性を持ち、耐熱性が高く、温度変化に安定で熱伝導性が高い物質材料であって、耐圧性が高く圧力損失の低い構成を有している限り基本的にはどのような物質材料や構成であってもよく、例えば銅管や鋼管などの金属管が使用されるが、これらに限定されず、使用する冷媒によって適宜設計選択される。
【００２４】
凝縮器において冷媒と熱交換を行う流体は、液体、気体のいずれでもよく、例えば、水、オイル（油）、空気などが好適であるが、これらに限定されず、流動性を有する物質であればどのようなものであってもよい。凝縮器で熱交換を行う流体は、熱交換システムの用途に応じて適宜選ばれる。例えば、熱交換システムを給湯機に適用する場合には、凝縮器で熱交換を行う流体は水または湯である。
【００２５】
この熱交換システムは、ヒートポンプ式蓄熱給湯機、チラー、空気調和機などに使用することができる。
この熱交換システムは、例えば、貯湯タンクを備えたヒートポンプ式蓄熱給湯機に適用することができる。この貯湯タンクには、凝縮器の低温側の入口と低温側の出口との間に水または湯を流すことにより得られる湯が貯蔵される。貯湯タンクの壁の材料や構成は必要に応じて選ばれ、従来公知のものを用いることができる。貯湯タンクの耐圧性を確保しつつ、軽量性の向上を図る観点から、好適には、貯湯タンクの壁は、ポリフェニレンエーテル系樹脂からなる内層と、ポリアミド樹脂からなり上記内層の外方に設けられる外層と、ポリフェニレンエーテル系樹脂およびポリアミド樹脂を含むポリフェニレンエーテル系樹脂組成物からなり、上記内層と上記外層との間に位置する中間層とを有する多層構造体から構成される。最も好適には、貯湯タンクの壁の厚さは７ｍｍ以上であり、上記内層、上記中間層、上記外層の厚さ比率は、内層：中間層：外層＝４：１：５〜８：１：１の範囲である。
【００２６】
この熱交換システムが、貯湯タンクを備えたヒートポンプ式蓄熱給湯機である場合、この熱交換システムは、蒸発器が外気用熱交換器であり、液化用熱交換機構の低温側の出口と冷却用熱交換器の低温側の入口との間、冷却用熱交換器の低温側の出口と外気用熱交換器との間がそれぞれ冷媒配管により接続され、冷却用熱交換器における冷媒との熱交換により冷却された水を用いて冷房を行うことが可能な室内空気調和機をさらに有することもある。さらに、この熱交換システムにおいては、冷却用熱交換器による吸熱を貯冷タンクに蓄冷し、室内空気調和機による室内の冷房に使用するようにしてもよい。より具体的には、この熱交換システムは、冷却用熱交換器により冷却された水を貯蔵する貯冷タンクをさらに有し、貯冷タンクに貯蔵された冷却された水を室内空気調和機による室内の冷房に使用するようにしてもよい。必要に応じて、貯冷タンクに氷蓄熱をしてもよい。必要に応じて、室内空気調和機により室内の暖房を行う時、貯冷タンクを貯湯タンクとして使用することが可能に構成してもよい。
【００２７】
熱交換システムがチラーである場合、熱交換システムは、蒸発器の高温側の入口と高温側の出口との間に流体を流すことにより得られる流体を貯蔵する貯蔵タンクをさらに有することもある。
【発明の効果】
【００２８】
この発明によれば、凝縮器内における冷媒が凝縮温度に達しないような環境下であっても、簡易な構成で熱交換システムを安全に連続運転することが可能となる。このため、ヒートポンプ式蓄熱給湯機においては、例えば貯湯タンク内に貯蔵された湯を追焚き可能で、所望の温度の湯を素早く給湯することができ、チラーにおいては、外気の温度が高い場合であっても冷却が可能であり、空気調和機においては、外気の温度が高い場合であっても冷房が可能である。
【図面の簡単な説明】
【００２９】
【図１】この発明の第１の実施の形態による、貯湯タンクを備えたヒートポンプ式蓄熱給湯機を示す略線図である。
【図２】この発明の第２の実施の形態によるチラーを示す略線図である。
【図３】この発明の第３の実施の形態によるチラーを示す略線図である。
【図４】この発明の第４の実施の形態による空気調和機を示す略線図である。
【図５】この発明の第５の実施の形態による空気調和機を示す略線図である。
【図６】この発明の第６の実施の形態による給湯機／室内空気調和機複合システムを示す略線図である。
【図７】この発明の第１の実施の形態によるヒートポンプ式蓄熱給湯機または第６の実施の形態による給湯機／室内空気調和機複合システムにおいて用いられる貯湯タンクを示す略線図である。
【図８】従来の、貯湯タンクを備えたヒートポンプ式蓄熱給湯器を示す略線図である。
【図９】ヒートポンプ式蓄熱給湯機、チラーおよび空気調和機の基本的構成要素を示す略線図である。
【発明を実施するための形態】
【００３０】
以下、発明を実施するための形態（以下「実施の形態」という）について説明する。
第１の実施の形態
図１は、第１の実施の形態による、貯湯タンクを備えたヒートポンプ式蓄熱給湯機を示す。
図１に示すように、このヒートポンプ式蓄熱給湯機は、圧縮機１、加熱用熱交換器２、液化用熱交換器３、レシーバタンク４、膨張弁５および外気用熱交換器６を有する。圧縮機１の吐出口と加熱用熱交換器２の高温側の入口との間、加熱用熱交換器２の高温側の出口と液化用熱交換器３の高温側の入口との間、液化用熱交換器３の高温側の出口とレシーバタンク４の入口との間、レシーバタンク４の出口と膨張弁５との間、膨張弁５と液化用熱交換器３の低温側の入口との間、液化用熱交換器３の低温側の出口と外気用熱交換器６の入口との間、外気用熱交換器６の出口と圧縮機１の吸入口との間がそれぞれ冷媒配管７により接続されている。冷媒配管７は冷媒流路である。膨張弁５は、外気用熱交換器６の出口に取り付けられた感温筒５ａにより、外気用熱交換器６を出る冷媒ガスの過熱度の変化を検知し、その検知結果に応じて弁の開閉度を制御して外気用熱交換器６に流入する冷媒量を調整することにより冷媒ガスの過熱度を一定に保持するようになっている。冷媒配管７により接続された圧縮機１、加熱用熱交換器２、液化用熱交換器３、レシーバタンク４、膨張弁５および外気用熱交換器６によりヒートポンプユニットが構成されている。
【００３１】
加熱用熱交換器２の低温側の入口および出口に、水道水が流される配管８が設置されている。この加熱用熱交換器２において、配管８に流される水道水と冷媒配管７に流される冷媒との間で熱交換が行われる。配管８に流される水道水はポンプ９により加熱用熱交換器２に供給される。加熱用熱交換器２で加熱されて出口から出てくる湯は配管８を通って貯湯タンク１０に入り、貯蔵される。配管８はポンプ９の上流で分岐しており、貯湯タンク１０の下部に接続されている。貯湯タンク１０に貯蔵された湯は三方弁からなる調整弁１１を通って外部に給湯される。配管８は、貯湯タンク１０への分岐部の上流でも分岐して調整弁１１に接続されており、この分岐部がバイパス配管を構成している。
【００３２】
このヒートポンプ式蓄熱給湯機の動作を、配管８に供給される水道水の温度が冷媒の凝縮温度より低い場合と冷媒の凝縮温度以上である場合とに分けて説明する。
まず、配管８に供給される水道水の温度が冷媒の凝縮温度より低い場合のヒートポンプ式蓄熱給湯機の動作について説明する。外気用熱交換器６から出てくる冷媒ガスは、圧縮機１により圧縮されて高温高圧の状態になる。この高温高圧の冷媒ガスは加熱用熱交換器２に供給され、ポンプ９により供給された比較的温度の低い水道水と熱交換が行われ、高圧の状態で冷媒の凝縮温度まで冷却されて液化する。加熱用熱交換器２における熱交換により水道水が加熱されて湯となり、貯湯タンク１０に貯蔵される。液化した冷媒は液化用熱交換器３で熱交換が行われた後、レシーバタンク４に供給される。レシーバタンク４にはあらかじめ冷媒が一定量液体の状態で貯蔵されており、冷媒はレシーバタンク４から出て膨張弁５で減圧、膨張した後、液化用熱交換器３で熱交換が行われる。こうして液化用熱交換器３で熱交換が行われて、過冷却の状態になり、冷媒は外気用熱交換器６に供給されて蒸発し、この際に外気から熱を吸収して低温のガス状態となる。この低温の冷媒ガスは圧縮機１に供給され、圧縮から始まる上記のサイクルが繰り返される。
【００３３】
次に、配管８に供給される水道水の温度が冷媒の凝縮温度以上である場合のヒートポンプ式蓄熱給湯機の動作について説明する。外気用熱交換器６から出てくる冷媒ガスは、圧縮機１により圧縮されて高温高圧の状態になるのは上記と同様であるが、この高温高圧の冷媒ガスが加熱用熱交換器２に供給されても、ポンプ９により供給される水道水の温度が冷媒の凝縮温度より高いため凝縮せず、加熱用熱交換器２から高圧で凝縮温度以上の高温の冷媒ガスのまま出てくる。この冷媒ガスは液化用熱交換器３に入り、膨張弁５で減圧、膨張した後の低圧で低温の冷媒との間で熱交換が行われることにより、冷媒の凝縮温度まで冷却されて液化する。こうして液化用熱交換器３で熱交換が行われた後、冷媒は外気用熱交換器６に供給されて蒸発し、この際に外気から熱を吸収して低温のガス状態となる。この低温の冷媒ガスは圧縮機１に供給され、圧縮から始まる上記のサイクルが繰り返される。
【００３４】
貯湯タンク１０に貯蔵される湯の温度が所望の温度であれば、そのまま外部に供給されて使用される。貯湯タンク１０に貯蔵される湯の温度が所望の温度よりも低い場合は貯湯タンク１０の底部の出口から配管８に再び戻され、ポンプ９により加熱用熱交換器２に供給されて再び加熱され、所望の温度となるまで加熱が繰り返される。貯湯タンク１０に貯蔵される湯の温度が所望の温度よりも高い場合は、配管８に供給される水道水を貯湯タンク１０の底部から内部に導入して貯湯タンク１０の内部の高温の湯と調整弁１１で混合することにより温度調整が行われ、湯の温度が所望の温度とされる。
【００３５】
以上のように、この第１の実施の形態によれば、加熱用熱交換器２の出口と外気用熱交換器６の入口との間に、液化用熱交換器３、レシーバタンク４および膨張弁５が順次接続され、液化用熱交換器３において、冷媒配管７を通る冷媒が、レシーバタンク４から膨張弁５を通って供給される低温低圧の冷媒との間で熱交換が行われることにより冷却されて液化することにより、配管８から供給される水の温度が冷媒の凝縮温度以上でも、従来のように冷媒の圧力が異常に上昇する問題が発生しない。このため、配管８から供給される水を追い焚きすることが可能となる。例えば、７０℃のお湯を追い焚きにより９０℃に加熱することができる。しかも、従来のヒートポンプ式蓄熱給湯機に比べて液化用熱交換器３およびレシーバタンク４を加えるだけで済むので、構成を複雑化しないで済み、コスト増も少なくて済む。
【００３６】
第２の実施の形態
図２は、第２の実施の形態によるチラーを示す。
図２に示すように、このチラーは、圧縮機２１、凝縮器２２、液化用熱交換器２３、レシーバタンク２４、膨張弁２５および蒸発器２６を有する。圧縮機２１の吐出口と凝縮器２２の高温側の入口との間、凝縮器２２の高温側の出口と液化用熱交換器２３の高温側の入口との間、液化用熱交換器２３の高温側の出口とレシーバタンク２４の入口との間、レシーバタンク２４の出口と膨張弁２５との間、膨張弁２５と液化用熱交換器２３の低温側の入口との間、液化用熱交換器２３の低温側の出口と蒸発器２６の入口との間、蒸発器２６の出口と圧縮機２１の吸入口との間がそれぞれ冷媒配管２７により接続されている。冷媒配管２７は冷媒流路である。膨張弁２５は、蒸発器２６の出口に取り付けられた感温筒２５ａにより、蒸発器２６を出る冷媒ガスの過熱度の変化を検知し、その検知結果に応じて弁の開閉度を制御して蒸発器２６に流入する冷媒量を調整することにより冷媒ガスの過熱度を一定に保持するようになっている。
【００３７】
蒸発器２６には、流体が流される配管２８が設置されている。流体はチラーの用途などに応じて適宜選ばれるが、例えば、水、オイル（油）、不凍液などである。この蒸発器２６において、配管２８に流される流体と冷媒配管２７に流される冷媒との間で熱交換が行われる。その後、蒸発器２６で冷却されて出口から出てくる流体は配管２８を通って貯蔵タンク３０の上部に入り、貯蔵される。貯蔵タンク３０に貯蔵された流体は、貯蔵タンク３０の下部に接続された配管２８からポンプ２９で外部の負荷Ｌに供給されて使用される。
【００３８】
このチラーの動作を、外気の温度が冷媒の凝縮温度より低い場合と冷媒の凝縮温度以上である場合とに分けて説明する。
まず、外気の温度が冷媒の凝縮温度より低い場合のチラーの動作について説明する。蒸発器２６から出てくる冷媒ガスは、圧縮機２１により圧縮されて高温高圧の状態になる。この高温高圧の冷媒ガスは凝縮器２２に供給され、熱を放出し、高圧の状態で冷媒の凝縮温度まで冷却されて液化する。液化した冷媒は液化用熱交換器２３で熱交換が行われた後、レシーバタンク２４に供給される。レシーバタンク２４にはあらかじめ液化した冷媒が一定量貯蔵されており、冷媒はレシーバタンク２４から出て膨張弁２５で減圧、膨張した後、蒸発器２６に供給されて蒸発し、低温のガス状態となる。この際、この蒸発器２６において、配管２８に供給される流体が冷却される。蒸発器２６から出てくる低温の冷媒ガスは圧縮機２１に供給され、圧縮から始まる上記のサイクルが繰り返される。
【００３９】
次に、外気の温度が冷媒の凝縮温度以上である場合のチラーの動作について説明する。蒸発器２６から出てくる冷媒ガスは、圧縮機２１により圧縮されて高温高圧の状態になるのは上記と同様であるが、この高温高圧の冷媒ガスが凝縮器２２に供給されても、外気の温度が冷媒の凝縮温度より高いため全部または一部が凝縮せず、凝縮器２２から高圧で凝縮温度以上の高温の冷媒ガスのまま出てくる。この冷媒ガスは液化用熱交換器２３に入り、膨張弁２５で減圧、膨張した後の低圧で低温の冷媒との間で熱交換が行われることにより、冷媒の凝縮温度まで冷却されて液化する。こうして液化された冷媒は蒸発器２６に供給されて蒸発し、低温のガス状態となる。この際、この蒸発器２６において、配管２８に供給される流体が冷却される。蒸発器２６から出てくる低温の冷媒ガスは圧縮機２１に供給され、圧縮から始まる上記のサイクルが繰り返される。
【００４０】
チラーの流体の温度制御は、例えば、貯蔵タンク３０内の温度の情報から圧縮機２１のインバータ制御を行ったり、膨張弁２５とレシーバタンク２４との間の部位の冷媒配管２７と、蒸発器２６と圧縮機２１との間の部位の冷媒配管２７との間をバイパス配管により接続し、冷媒のホットガスバイパス制御を行ったりすることにより行われ、この温度制御により流体の温度が規定の温度に調整される。
【００４１】
以上のように、この第２の実施の形態によれば、凝縮器２２の出口と蒸発器２６の入口との間に、液化用熱交換器２３、レシーバタンク２４および膨張弁２５が順次接続され、液化用熱交換器２３において、冷媒配管２７を通る冷媒が、レシーバタンク２４から膨張弁５を通って供給される低温低圧の冷媒との間で熱交換が行われることにより冷却されて液化することにより、外気の温度が冷媒の凝縮温度以上でも、冷媒の圧力が異常に上昇する問題が発生しない。このため、配管２８から供給される高温の流体を冷却することが可能となる。しかも、従来のチラーに比べて液化用熱交換器２３およびレシーバタンク２４を加えるだけで済むので、構成を複雑化しないで済み、コスト増も少なくて済む。
【００４２】
第３の実施の形態
図３は、第３の実施の形態によるチラーを示す。
図３に示すように、このチラーは、膨張弁２５から出て液化用熱交換器２３に入り、液化用熱交換器２３から出る冷媒配管２７に、液化用熱交換器２３を通らないバイパス配管部２７ａが設けられている。バイパス配管部２７ａにはバイパス弁３３が設けられている。バイパス弁３３は、例えば、凝縮器２２の付近などに設けられた温度センサーや、高温側の冷媒配管２７ｂなどに設けられた圧力センサーなどからの信号によって開閉する電磁弁であるが、一定の条件において配管を開閉可能な構成を有するものであれば、電磁弁以外のものであってもよく、例えば機械式の圧力弁などであってもよい。また、バイパス弁３３に対して信号を送るセンサーなどは上述のものに限られず、凝縮器２２において冷媒が十分に液化されていないと判別した後にバイパス弁３３に信号を送る構成を有していれば基本的にはどのようなものであってもよい。
このチラーの上記以外の構成は第２の実施の形態によるチラーと同様である。
【００４３】
上記のバイパス機構の動作について説明する。バイパス弁３３は、外気温の低い通常環境での運転であれば全開となり、膨張弁２５から供給される冷媒は液化用熱交換器２３ではなくバイパス配管部２７ａを通り、液化用熱交換器２３を通過しない。一方、外気温度が冷媒配管２７を通る冷媒の凝縮温度付近まで上昇するとバイパス弁３３は閉じ、膨張弁２５から供給される冷媒は液化用熱交換器２３に供給され、第２の実施の形態と同様に高温側の冷媒ガスを液化する。
この第３の実施の形態によれば、第２の実施の形態と同様な利点を得ることができる。
【００４４】
第４の実施の形態
図４は、第４の実施の形態による空気調和機を示す。
図４に示すように、この空気調和機は、圧縮機４１、凝縮器４２、液化用熱交換器４３、レシーバタンク４４、膨張弁４５および蒸発器４６を有する。圧縮機４１の吐出口と凝縮器４２の高温側の入口との間、凝縮器４２の高温側の出口と液化用熱交換器４３の高温側の入口との間、液化用熱交換器４３の高温側の出口とレシーバタンク４４の入口との間、レシーバタンク４４の出口と膨張弁４５との間、膨張弁４５と液化用熱交換器４３の低温側の入口との間、液化用熱交換器４３の低温側の出口と蒸発器４６の入口との間、蒸発器４６の出口と圧縮機４１の吸入口との間がそれぞれ冷媒配管４７により接続されている。冷媒配管４７は冷媒流路である。膨張弁４５は、蒸発器４６の出口に取り付けられた感温筒４５ａにより、蒸発器４６を出る冷媒ガスの過熱度の変化を検知し、その検知結果に応じて弁の開閉度を制御して蒸発器４６に流入する冷媒量を調整することにより冷媒ガスの過熱度を一定に保持するようになっている。
【００４５】
この空気調和機の動作を、外気の温度が冷媒の凝縮温度より低い場合と冷媒の凝縮温度以上である場合とに分けて説明する。
まず、外気の温度が冷媒の凝縮温度より低い場合の空気調和機の動作について説明する。蒸発器４６から出てくる冷媒ガスは、圧縮機４１により圧縮されて高温高圧の状態になる。この高温高圧の冷媒ガスは凝縮器４２に供給され、熱を放出し、高圧の状態で冷媒の凝縮温度まで冷却されて液化する。液化した冷媒は液化用熱交換器４３で熱交換が行われた後、レシーバタンク４４に供給される。レシーバタンク４４にはあらかじめ冷媒が一定量貯蔵されており、冷媒はレシーバタンク４４から出て膨張弁４５で減圧、膨張した後、液化用熱交換器４３を通って蒸発器４６に供給されて蒸発し、低温のガス状態となる。この際、この蒸発器４６において、外気が冷却される。蒸発器４６から出てくる低温の冷媒ガスは圧縮機４１に供給され、圧縮から始まる上記のサイクルが繰り返される。
【００４６】
次に、外気の温度が冷媒の凝縮温度以上である場合の空気調和機の動作について説明する。蒸発器４６から出てくる冷媒ガスは、圧縮機４１により圧縮されて高温高圧の状態になるのは上記と同様であるが、この高温高圧の冷媒ガスが凝縮器４２に供給されても、外気の温度が冷媒の凝縮温度より高いため全部または一部が凝縮せず、凝縮器４２から高圧で凝縮温度以上の高温の冷媒ガスのまま出てくる。この冷媒ガスは液化用熱交換器４３に入り、膨張弁４５で減圧、膨張した後の低圧で低温の冷媒との間で熱交換が行われることにより、冷媒の凝縮温度まで冷却されて液化する。こうして液化された冷媒は蒸発器４６に供給されて蒸発し、低温のガス状態となる。この際、この蒸発器４６において、外気が冷却される。蒸発器４６から出てくる低温の冷媒ガスは圧縮機４１に供給され、圧縮から始まる上記のサイクルが繰り返される。
【００４７】
以上のように、この第４の実施の形態によれば、凝縮器４２の出口と蒸発器４６の入口との間に、液化用熱交換器４３、レシーバタンク４４および膨張弁４５が順次接続され、液化用熱交換器４３において、冷媒配管４７を通る冷媒が、レシーバタンク４４から膨張弁４５を通って供給される低温低圧の冷媒との間で熱交換が行われることにより冷却されて液化することにより、外気の温度が冷媒の凝縮温度以上でも、冷媒の圧力が異常に上昇する問題が発生しない。このため、外気を冷却することが可能となる。しかも、従来の空気調和機に比べて液化用熱交換器４３およびレシーバタンク４４を加えるだけで済むので、構成を複雑化しないで済み、コスト増も少なくて済む。
【００４８】
第５の実施の形態
図５は、第５の実施の形態による空気調和機を示す。
図５に示すように、この空気調和機は、膨張弁４５から出て液化用熱交換器４３の低温側の入口に接続され、液化用熱交換器４３の低温側の出口に接続されている冷媒配管４７に、液化用熱交換器４３を通らないバイパス配管部４７ａが設けられている。バイパス配管部４７ａにはバイパス弁４８が設けられている。バイパス弁４８は、例えば、凝縮器４２の付近などに設けられた温度センサーや、高圧側の冷媒配管４７ｂなどに設けられた圧力センサーなどからの信号によって開閉する電磁弁であるが、一定の条件において配管を開閉可能な構成を有するものであれば、電磁弁以外のものであってもよく、例えば機械式の圧力弁などであってもよい。また、バイパス弁４８に対して信号を送るセンサーなどは上述のものに限られず、凝縮器４２において冷媒が十分に液化されていないと判別した後にバイパス弁４８に信号を送る構成を有していれば、基本的にはどのようなものであってもよい。
この空気調和機の上記以外の構成は第４の実施の形態による空気調和機と同様である。
【００４９】
上記のバイパス機構の動作について説明する。バイパス弁４８は、外気温の低い通常環境での運転であれば全開となり、膨張弁４５から供給される冷媒は液化用熱交換器４３ではなくバイパス配管部４７ａを通る。一方、外気温度が冷媒配管４７を通る冷媒の凝縮温度付近まで上昇するとバイパス弁４８は閉じ、膨張弁４４から供給される冷媒は液化用熱交換器４５に供給され、第４の実施の形態と同様に高温側の冷媒ガスを液化する。
この第５の実施の形態によれば、第４の実施の形態と同様な利点を得ることができる。
【００５０】
第６の実施の形態
図６は、第６の実施の形態による給湯機／室内空気調和機複合システムを示す。この給湯機／室内空気調和機複合システムは、第１の実施の形態による、貯湯タンクを備えたヒートポンプ式蓄熱給湯機と室内空気調和機とを組み合わせたものである。
【００５１】
図６に示すように、この給湯機／室内空気調和機複合システムは、第１の実施の形態による、貯湯タンクを備えたヒートポンプ式蓄熱給湯機を含む。この場合、加熱用熱交換器２の低温側の出口と貯湯タンク１０の入口との間に三方弁からなる分流弁６１が設けられている。一方、液化用熱交換器３と外気用熱交換器６との間に冷却用熱交換器６２が設けられている。より詳細には、液化用熱交換器３の低温側の出口と冷却用熱交換器６２の低温側の入口との間、冷却用熱交換器６２の低温側の出口と外気用熱交換器６との間がそれぞれ冷媒配管７により接続されている。冷却用熱交換器６２の高温側の入口および出口に配管６３が接続されている。配管６３には三方弁からなる分流弁６４が設けられている。冷却用熱交換器６２の高温側の出口は配管６３を介して貯冷／貯湯タンク６５の入口と接続されている。貯冷／貯湯タンク６５の入口に接続された配管６３は分岐しており、この分岐部が仕切弁６６を介して調整弁１１と接続されている。貯冷／貯湯タンク６５の出口は配管６３を介して分流弁６１と接続されている。
【００５２】
室内空気調和機６７の入口は三方弁からなる分流弁６８を介して配管６９により分流弁６４と接続されている。室内空気調和機６７の出口も配管６９により分流弁６４と接続されている。分流弁６８は、ポンプ７０を介して配管７１により貯冷／貯湯タンク６５の底部の入口と接続されている。貯冷／貯湯タンク６５の底部の入口と貯湯タンク１０の底部の入口との間も配管７１により接続されている。
【００５３】
この給湯機／室内空気調和機複合システムの動作について説明する。
この給湯機／室内空気調和機複合システムにおいては、第１の実施の形態と同様にしてヒートポンプ式蓄熱給湯機により、分流弁６１、調整弁１１などを操作して貯湯タンク１０に所望の温度の湯を貯蔵し、必要に応じて外部に給湯する。一方、冷却用熱交換器６２においては、分流弁６４、６８などを操作してポンプ７０により流される水道水が、この冷却用熱交換器６２の低温側の入口と低温側の出口との間に流される低温の冷媒との熱交換により冷却される。この冷却された水道水は貯冷／貯湯タンク６５に貯蔵される。この貯冷／貯湯タンク６５に貯蔵された冷却された水道水は室内空気調和機６７に流され、冷房に使用される。
【００５４】
冬季など冷房の必要性がなく、室内の暖房が必要である時には、分流弁６４、６８などを操作して貯冷／貯湯タンク６５に湯を貯蔵してもよい。すなわち、貯冷／貯湯タンク６５を貯湯タンクとして用いてもよい。
【００５５】
この第６の実施の形態によれば、所望の温度の湯を供給することができ、しかも室内空気調和機により室内の冷房を効率的に行うことができる給湯機／室内空気調和機複合システムを実現することができる。
【００５６】
第７の実施の形態
第７の実施の形態においては、第１または第６の実施の形態における貯湯タンク１０として、図７に示すものを用いる。
図７に示すように、この貯湯タンク１０は、壁が、ポリフェニレンエーテル系樹脂からなる内層１０ａと、ポリアミド樹脂からなり内層１０ａの外方に設けられる外層１０ｂと、ポリフェニレンエーテル系樹脂およびポリアミド樹脂を含むポリフェニレンエーテル系樹脂組成物からなり、内層１０ａと外層１０ｂとの間に位置する中間層１０ｃとを有する多層構造体から構成される。こうすることで、貯湯タンク１０の耐熱性および耐圧の向上を図ることができるだけでなく、壁が樹脂により構成されているため貯湯タンク１０の軽量化を図ることができる。好適には、この貯湯タンク１０の壁の厚さは７ｍｍ以上であり、内層１０ａ、中間層１０ｃ、外層１０ｂの厚さ比率は、内層：中間層：外層＝４：１：５〜８：１：１の範囲であり、最も好適には内層：中間層：外層＝６：１：３である。例えば、壁の厚さが７ｍｍ、内層１０ａ、中間層１０ｃ、外層１０ｂの厚さ比率が６：１：３である時、８７℃での耐圧は１．０ＭＰａとなり、一般水道圧０．５ＭＰａに対し安全係数２を確保することができる。
【００５７】
この第７の実施の形態によれば、第１または第６の実施の形態と同様な利点に加えて、貯湯タンク１０の耐熱化、高耐圧化および軽量化を図ることができるという利点も得ることができる。
【００５８】
以上、この発明の実施の形態について具体的に説明したが、この発明は、上述の実施の形態に限定されるものではなく、この発明の技術的思想に基づく各種の変形が可能である。
例えば、上述の実施の形態において挙げた数値、構造、構成、形状、材料などはあくまでも例に過ぎず、必要に応じてこれらと異なる数値、構造、構成、形状、材料などを用いてもよい。
【符号の説明】
【００５９】
１…圧縮機、２…加熱用熱交換器、３…液化用熱交換器、４…レシーバタンク、５…膨張弁、６…外気用熱交換器、７…冷媒配管、８…配管、９…ポンプ、１０…貯湯タンク、１１…調整弁、２１…圧縮機、２２…凝縮器、２３…液化用熱交換器、２４…レシーバタンク、２５…膨張弁、２６…蒸発器、２７…冷媒配管、２８…配管、２９…ポンプ、３０…貯蔵タンク、３３…バイパス弁、４１…圧縮機、４２…凝縮器、４３…液化用熱交換器、４４…レシーバタンク、４５…膨張弁、４６…蒸発器、４７…冷媒配管、４８…バイパス弁、６１…分流弁、６２…冷却用熱交換器、６３…配管、６４…分流弁、６５…貯冷／貯湯タンク、６６…仕切弁、６７…室内空気調和機、６８…分流弁、６９…配管、７０…ポンプ
【図１】
2012117717.tif 000003
【図２】
2012117717.tif 000004
【図３】
2012117717.tif 000005
【図４】
2012117717.tif 000006
【図５】
2012117717.tif 000007
【図６】
2012117717.tif 000008
【図７】
2012117717.tif 000009
【図８】
2012117717.tif 000010
【図９】
2012117717.tif 000011
【手続補正書】
【提出日】平成23年7月13日(2011.7.13)
【手続補正１】
【補正対象書類名】特許請求の範囲
【補正対象項目名】全文
【補正方法】変更
【補正の内容】
【特許請求の範囲】
【請求項１】
圧縮機、凝縮器、液化用熱交換機構、レシーバタンク、膨張機構および蒸発器を有し、
上記圧縮機の吐出口と上記凝縮器の高温側の入口との間、上記凝縮器の高温側の出口と上記液化用熱交換機構の高温側の入口との間、上記液化用熱交換機構の高温側の出口と上記レシーバタンクの入口との間、上記レシーバタンクの出口と上記膨張機構との間、上記膨張機構と上記液化用熱交換機構の低温側の入口との間、上記液化用熱交換機構の低温側の出口と上記蒸発器の入口との間、上記蒸発器の出口と上記圧縮機の吸入口との間がそれぞれ冷媒配管により接続されていることを特徴とする追い焚き可能なヒートポンプ式蓄熱給湯機。
【請求項２】
上記凝縮器の低温側の入口と低温側の出口との間に水または湯を流すことにより得られる湯を貯蔵する貯湯タンクをさらに有することを特徴とする請求項１記載の追い焚き可能なヒートポンプ式蓄熱給湯機。
【請求項３】
上記蒸発器は外気用熱交換器であり、上記液化用熱交換機構の低温側の出口と冷却用熱交換器の低温側の入口との間、上記冷却用熱交換器の低温側の出口と上記外気用熱交換器との間がそれぞれ冷媒配管により接続され、上記冷却用熱交換器における冷媒との熱交換により冷却された水を用いて冷房を行うことが可能な室内空気調和機をさらに有することを特徴とする請求項１または２記載の追い焚き可能なヒートポンプ式蓄熱給湯機。
【請求項４】
上記冷却用熱交換器により冷却された水を貯蔵する貯冷タンクをさらに有し、上記貯冷タンクに貯蔵された上記冷却された水を上記室内空気調和機による室内の冷房に使用することを特徴とする請求項３記載の追い焚き可能なヒートポンプ式蓄熱給湯機。
【請求項５】
上記室内空気調和機により室内の暖房を行う時、上記貯冷タンクを貯湯タンクとして使用することが可能に構成されていることを特徴とする請求項３または４記載の追い焚き可能なヒートポンプ式蓄熱給湯機。
【請求項６】
上記貯湯タンクの壁が、ポリフェニレンエーテル系樹脂からなる内層と、ポリアミド樹脂からなり上記内層の外方に設けられる外層と、ポリフェニレンエーテル系樹脂およびポリアミド樹脂を含むポリフェニレンエーテル系樹脂組成物からなり、上記内層と上記外層との間に位置する中間層とを有する多層構造体から構成されていることを特徴とする請求項２〜５のいずれか一項記載の追い焚き可能なヒートポンプ式蓄熱給湯機。
【請求項７】
上記貯湯タンクの上記壁の厚さは７ｍｍ以上であり、上記内層、上記中間層、上記外層の厚さ比率は、内層：中間層：外層＝４：１：５〜８：１：１の範囲であることを特徴とする請求項６記載の追い焚き可能なヒートポンプ式蓄熱給湯機。
【請求項８】
圧縮機、凝縮器、液化用熱交換機構、レシーバタンク、膨張機構および蒸発器を有し、
上記圧縮機の吐出口と上記凝縮器の高温側の入口との間、上記凝縮器の高温側の出口と上記液化用熱交換機構の高温側の入口との間、上記液化用熱交換機構の高温側の出口と上記レシーバタンクの入口との間、上記レシーバタンクの出口と上記膨張機構との間、上記膨張機構と上記液化用熱交換機構の低温側の入口との間、上記液化用熱交換機構の低温側の出口と上記蒸発器の入口との間、上記蒸発器の出口と上記圧縮機の吸入口との間がそれぞれ冷媒配管により接続されていることを特徴とする熱交換システム。
【請求項９】
上記熱交換システムは、チラーまたは空気調和機であることを特徴とする請求項８記載の熱交換システム。
【請求項１０】
上記熱交換システムはチラーであり、上記蒸発器の高温側の入口と高温側の出口との間に流体を流すことにより得られる流体を貯蔵する貯蔵タンクをさらに有することを特徴とする請求項９記載の熱交換システム。
【手続補正書】
【提出日】平成23年10月25日(2011.10.25)
【手続補正１】
【補正対象書類名】特許請求の範囲
【補正対象項目名】全文
【補正方法】変更
【補正の内容】
【特許請求の範囲】
【請求項１】
圧縮機、加熱用熱交換器、液化用熱交換器、レシーバタンク、膨張弁および外気用熱交換器を有し、
上記圧縮機の吐出口と上記加熱用熱交換器の高温側の入口との間、上記加熱用熱交換器の高温側の出口と上記液化用熱交換器の高温側の入口との間、上記液化用熱交換器の高温側の出口と上記レシーバタンクの入口との間、上記レシーバタンクの出口と上記膨張弁との間、上記膨張弁と上記液化用熱交換器の低温側の入口との間、上記液化用熱交換器の低温側の出口と上記外気用熱交換器の入口との間、上記外気用熱交換器の出口と上記圧縮機の吸入口との間がそれぞれ冷媒配管により接続されており、上記加熱用熱交換器の低温側の入口には、上記加熱用熱交換器の高温側の入口に供給される冷媒の凝縮温度よりも高温の水が供給され、上記レシーバタンクにはあらかじめ冷媒が一定量液体の状態で貯蔵され、上記膨張弁は上記外気用熱交換器の出口に取り付けられた感温筒を有し、上記外気用熱交換器を出る冷媒ガスの過熱度の変化を検知し、その検知結果に応じて弁の開閉度を制御することで上記液化用熱交換器および上記外気用熱交換器に流入する冷媒の量を調整可能であって、上記液化用熱交換器の上記高温側の冷媒が液化され過冷却となり、上記加熱用熱交換器の低温側の入口に上記冷媒の凝縮温度よりも高温の水が供給されても上記水をさらに加熱することが可能であることを特徴とする追い焚き可能なヒートポンプ式蓄熱給湯機。
【請求項２】
上記加熱用熱交換器の低温側の入口と低温側の出口との間に水を流すことにより得られる湯を貯蔵する貯湯タンクをさらに有することを特徴とする請求項１記載の追い焚き可能なヒートポンプ式蓄熱給湯機。
【請求項３】
上記貯湯タンクに貯蔵される水の温度が所望の温度よりも低い場合は上記水を上記加熱用熱交換器に供給して再び加熱し、上記水が所望の温度となるまで加熱を繰り返すことを特徴とする請求項２記載の追い焚き可能なヒートポンプ式蓄熱給湯機。
【請求項４】
上記液化用熱交換器は、プレートフィンチューブ型熱交換器、フィンコイル型熱交換器、シェルアンドチューブ型熱交換器、シェルアンドコイル型熱交換器、二重管型熱交換器、パラレルフロー型熱交換器、プレート型熱交換器のうちのいずれかであることを特徴とする請求項１〜３のいずれか一項記載の追い焚き可能なヒートポンプ式蓄熱給湯機。
【請求項５】
上記貯湯タンクの壁が、ポリフェニレンエーテル系樹脂からなる内層と、ポリアミド樹脂からなり上記内層の外方に設けられる外層と、ポリフェニレンエーテル系樹脂およびポリアミド樹脂を含むポリフェニレンエーテル系樹脂組成物からなり、上記内層と上記外層との間に位置する中間層とを有する多層構造体から構成され、上記貯湯タンクの上記壁の厚さは７ｍｍ以上であり、上記内層、上記中間層、上記外層の厚さ比率は、内層：中間層：外層＝４：１：５〜８：１：１の範囲であることを特徴とする請求項２〜４のいずれか一項記載の追い焚き可能なヒートポンプ式蓄熱給湯機。
【請求項６】
圧縮機、凝縮器、液化用熱交換器、レシーバタンク、膨張弁および蒸発器を有し、
上記圧縮機の吐出口と上記凝縮器の入口との間、上記凝縮器の出口と上記液化用熱交換器の高温側の入口との間、上記液化用熱交換器の高温側の出口と上記レシーバタンクの入口との間、上記レシーバタンクの出口と上記膨張弁との間、上記膨張弁と上記液化用熱交換器の低温側の入口との間、上記液化用熱交換器の低温側の出口と上記蒸発器の入口との間、上記蒸発器の出口と上記圧縮機の吸入口との間がそれぞれ冷媒配管により接続されており、上記蒸発器には流体が流される配管が接続され、上記配管を流れる流体と上記冷媒配管を流れる冷媒との間で熱交換が行われ、上記凝縮器は空冷式であって、上記レシーバタンクにはあらかじめ冷媒が一定量液体の状態で貯蔵され、上記膨張弁は上記蒸発器の出口に取り付けられた感温筒を有し、上記蒸発器を出る冷媒ガスの過熱度の変化を検知し、その検知結果に応じて弁の開閉度を制御することで上記液化用熱交換器および上記蒸発器に流入する冷媒の量を調整可能であって、上記液化用熱交換器の上記高温側の冷媒が液化され過冷却となり、外気の温度が冷媒の凝縮温度よりも高くても、上記配管から供給される流体を冷却することが可能であることを特徴とする外気の温度が冷媒の凝縮温度よりも高い場合に使用されるチラー。
【請求項７】
上記配管に接続され、上記蒸発器において上記冷媒との間で熱交換が行われることで得られる上記流体を貯蔵する貯蔵タンクをさらに有することを特徴とする請求項６記載の外気の温度が高い場合であっても冷却が可能なチラー。